(57)【要約】【課題】小便器においてトラップ部の清浄性が向上し、トラップ部を構成する部材の取り替えが容易に行なえる小便器を提供にすること。【解決手段】ボウル部の底部に排水口を開口した凹状のトラップ形成部を設けた小便器本体と、この小便器本体とは別体で前記ボウル部の内側から前記トラップ形成部内に配置されるトラップ形成部材と、前記トラップ形成部の上部を覆って設置される蓋部とこの蓋部の下面側から突設した筒状部とを有するサナと、を備えた小便器であって、前記トラップ形成部材は配置した状態で上方に突出し両端部が開口した中空状の第１筒部を有し、前記サナを設置した状態で前記筒状部の外側を外嵌してトラップを構成した。【選択図】  図１
2004150024.tif 000002
【特許請求の範囲】
【請求項１】
ボウル部の底部にトラップを形成するために底部に排水口を開口した凹状のトラップ形成部を設けた小便器本体と、この小便器本体とは別体で前記トラップ形成部内に着脱自在に配置されるトラップ形成部材と、前記トラップ形成部の上部を覆って設置される蓋部とこの蓋部の下面側から突設した筒状部とを有するサナと、を備えた小便器であって、
前記トラップ形成部材は前記トラップ形成部内に配置した状態で上方に突出し両端部が開口した中空状の第１筒部を有し、前記サナを設置した状態で前記筒状部の外側を外嵌すると共に前記第１筒部の開口した一端部と前記排水口と連絡し、前記凹状のトラップ形成部の内側壁部と前記筒状部とによって第１空間部を形成し、前記筒状部と前記第１筒部とによって第２空間部を形成し、前記第１空間部と第２空間部とを連絡してトラップを構成したことを特徴とする小便器。
【請求項２】
前記トラップ形成部材が前記第１筒部を取り囲み前記トラップ形成部の底部側で連続して形成した第２筒部を備え、その第２筒部の外形が前記トラップ形成部と略同形状をなし、前記第２筒部を前記トラップ形成部に装着して前記第１筒部と前記筒状部とによって前記第１空間部を構成することを特徴とする請求項１に記載の小便器。
【請求項３】
前記トラップ形成部材を形状復元性を有する弾性体で形成することを特徴とする請求項１または２に記載の小便器。
【請求項４】
請求項１に記載の小便器本体のトラップ形成部に前記サナを載置してトラップなしの小便器として使用することを特徴とする小便器。
【請求項５】
ボウル部の底部の凹部とこの凹部の底面部から洗浄水を外部に排出するための排出流路を構成する前記ボウル部側に突出し両端部が開口した中空状の突出筒部とを一体成形したトラップ形成部を有する小便器本体と、
この小便器本体とは別体で前記トラップ形成部に着脱自在に配置され前記トラップ形成部の上部を覆って設置される蓋部とこの蓋部の下面側から突設した筒状部とを有するサナとを備え、
（ａ）トラップを有する小便器として使用する場合には、
前記サナを前記トラップ形成部に設置した状態で前記突出筒部の外側を外嵌し、前記トラップ形成部の内側壁部と前記筒状部とによって第１空間部を形成し、前記筒状部と前記突出筒部とによって第２空間部を形成し、前記第１空間部と第２空間部とが前記筒状部に先端部と前記トラップ形成部の底面との間隙で連絡してトラップを構成する、
（ｂ）トラップを有しない小便器として使用する場合には、
前記突出筒部を前記底面部と略面一の高さ位置で切除して排水口を形成し、前記サナを前記トラップ形成部の上部に設置する、
ことを特徴とする小便器。
【発明の詳細な説明】
【０００１】
【発明の属する技術分野】
本発明は、トラップ部が着脱可能な小便器に関する。
【０００２】
【従来の技術】
従来、トラップ部が着脱可能な小便器として実用新案文献１に見られるものがあり、図８を用いて説明する。
【０００３】
図８に示すように、従来の小便器は、小便器本体１００とトラップ本体１０１とを分離した別体に構成され、トラップ本体１０１は小便器本体１００の鉢体１０２の底面に開口したトラップ流入口１０３に外嵌する外筒部１０４と、該外筒部１０４の内側に設けられ排水管に接続される内筒部１０５との間でトラップ形成室１０６を構成し、鉢体１０２の裏側から組み付けられている。また、下部に円筒部１０７を備えた目皿１０８トラップ流入口１０３に載置して、前記外筒部１０４と内筒部１０５との間に円筒部１０７を装着してトラップ仕切壁を形成している。
【０００４】
また、寒冷地等で使われるトラップなし小便器は、トラップ部を不凍帯に設けるため、図９のように小便器本体１１０にトラップのない構造となっている。
【０００５】
【実用新案文献１】
実開平６−６０６８５号公報
【０００６】
【発明が解決しようとする課題】
【０００７】
しかし、図８に示す小便器においては、前記外筒部１０４と内筒部１０５と円筒部１０７で形成されるトラップ部の溜水部１０９は、小便器洗浄時に供給される少水量の洗浄水によってトラップ部の小便を含んだ汚水が洗浄水と入れ替わる所謂換水性能を確保する必要性がある。そのために、溜水部１０９の寸法ａを大きくすることができない。このため、溜水部１０９の清掃を行なう場合、清掃用具が挿入しにくく、挿入したとしても隅々まで清掃ができず、尿石付着や悪臭発生の原因となっている。
また、トラップ本体は小便器本体の鉢体の裏側から配設するために、トラップ本体が破損した場合の取り替え、トラップ本体自体の清掃等が容易に行なうことができない。
【０００８】
また、トラップありの小便器とトラップなしの小便器を生産する場合、小便器本体を製造するために別の型がそれぞれ必要となり、生産者にとって非効率的である。
【０００９】
そこで、本発明の目的は、小便器においてトラップ部の清浄性が向上し、トラップ部を構成する部材の取り替えが容易に行なえる小便器を提供にすることである。また、トラップを有する小便器とトラップなし小便器を製造する場合に、小便器本体が兼用可能となる小便器を提供することである。
【００１０】
【課題を解決するための手段および作用・効果】
本発明の小便器は、ボウル部の底部にトラップを形成するために底部に排水口を開口した凹状のトラップ形成部を設けた小便器本体と、この小便器本体とは別体で前記トラップ形成部内に着脱自在に配置されるトラップ形成部材と、前記トラップ形成部の上部を覆って設置される蓋部とこの蓋部の下面側から突設した筒状部とを有するサナとを備え、前記トラップ形成部材は前記トラップ形成部内に配置した状態で上方に突出し両端部が開口した中空状の第１筒部を有し、前記サナを設置した状態で前記筒状部の外側を外嵌すると共に前記第１筒部の開口した一端部と前記排水口と連絡し、前記凹状のトラップ形成部の内側壁部と前記筒状部とによって第１空間部を形成し、前記筒状部と前記第１筒部とによって第２空間部を形成し、前記第１空間部と第２空間部とを連絡してトラップを構成したことを特徴とする。
そうすることにより、清掃時にトラップ形成部材、サナを小便器本体からを取り外し清掃することができ尿石付着や悪臭発生を抑制する。また、小便器本体のトラップ形成部もトラップ形成部材、サナを取り外した後は広い空間となり、清掃作業が容易となる。また、トラップ形成部材を小便器本体のボール部の内側から取り外せるので、破損した場合に取り替えも容易に行なえる。
【００１１】
本発明の好ましい態様としては、前記トラップ形成部材が前記第１筒部を取り囲み前記トラップ形成部の底部側で連続して形成した第２筒部を備え、その第２筒部の外形が前記トラップ形成部と略同形状をなし、前記第２筒部を前記トラップ形成部に装着して前記第１筒部と前記筒状部とによって前記第１空間部を構成する。
そうすることにより、トラップ形成部材の第２筒部がトラップ形成部の内壁部を案内ガイドとして確実に収容される。
【００１２】
また、本発明の好ましい態様としては、前記トラップ形成部材を形状復元性を有する弾性体で形成する。
清掃時、取り外す際に落下しても小便器本体、トラップ形成部材自体が破損することがない。また、一般的に製品の寸法公差が大きい陶器製の小便器にトラップ形成部材を組み付ける場合、形状復元性を有する弾性体であると変形して小便器に組み付けることができる。
【００１３】
また、本発明の好ましい態様としては、前記小便器本体のトラップ形成部に前記サナを載置してトラップなしの小便器として使用する。
凍結が問題となる寒冷地で使用する場合、小便器本体とサナとを組み合わせるだけで溜水が発生しないトラップなしの小便器が構成できる。
即ち、小便器本体は共通で前記トラップ形成部材を用いるか否かによって、トラップありの小便器、トラップなしの小便器のいずれにも対応できる。また、小便器本体を生産する場合も生産用型が一種類で、トラップありの小便器、又はトラップなしの小便器に対応でき、生産効率が向上する。
【００１４】
別の本発明の小便器は、ボウル部の底部の凹部とこの凹部の底面部から洗浄水を外部に排出するための排出流路を構成する前記ボウル部側に突出し両端部が開口した中空状の突出筒部とを一体成形したトラップ形成部を有する小便器本体と、この小便器本体とは別体で前記トラップ形成部に着脱自在に配置され前記トラップ形成部の上部を覆って設置される蓋部とこの蓋部の下面側から突設した筒状部とを有するサナとを備え、
（ａ）トラップを有する小便器として使用する場合に、
前記サナを前記トラップ形成部に設置した状態で前記突出筒部の外側を外嵌し、前記トラップ形成部の内側壁部と前記筒状部とによって第１空間部を形成し、前記筒状部と前記突出筒部とによって第２空間部を形成し、前記第１空間部と第２空間部とが前記筒状部に先端部と前記トラップ形成部の底面との間隙で連絡してトラップを構成する、
（ｂ）トラップを有しない小便器として使用する場合に、
前記突出筒部を前記底面部と略面一の高さ位置で切除して排水口を形成し、前記サナを前記トラップ形成部の上部に設置することを特徴とする。
【００１５】
ボウル部の底部の凹部とこの凹部の底面部から洗浄水を外部に排出するための排出流路を構成する前記ボウル部側に突出し両端部が開口した中空状の突出筒部とを一体に成形した後、前記突出筒部を切除すればトラップなしの小便器、切除しない場合はトラップありの小便器として使用できるため、小便器本体を生産する生産型の共通化が図れる。その結果、小便器本体の生産の効率向上とコストダウンが実現できる。
【００１６】
【発明の実施の形態】
以下、図面に沿って発明内容を説明する。
図１は本発明の第１実施例に係る小便器のトラップ部を示す部分断面図、図２はトラップ形成部材の外観斜視図、図３はサナの外観斜視図である。
【００１７】
（第１実施例）
図１において、小便器本体１と、サナ２と、トラップ形成部材３とは別体からなっている。小便器本体１は、ボウル部４の底部に凹状のトラップ形成部５を形成し、その底部に排水口６を開口形成している。
【００１８】
サナ２は蓋部２ａと蓋部２ａの下面から突出した筒状部２ｂを備え、蓋部２ａをトラップ形成部５の上部開口部５ｃに載置した時に、筒状部２ｂがトラップ形成部５内に収容される。サナ２は陶磁器製、金属製、合成樹脂製など用途に応じて選択できる。
【００１９】
トラップ形成部材３は、小便器本体１の排水口６と略同径の中空路３ｅを有する第１筒部３ａと、トラップ形成部５の内側面部５ａ形状と略同じ外形形状を有する第２筒部３ｂと、第１筒部３ａと第２筒部３ｂとを連結する連結部３ｃを備え、第１筒部３ａと第２筒部３ｂとで形成した収容空間部３ｄ内にサナ２の筒状部２ｂを収容する構成となっている。第１筒部３ａと第２筒部３ｂと連結部３ｃは軟質の合成ゴム材料で一体成形している。
【００２０】
つぎに、小便器本体１へのトラップ形成部材３とサナ２の組み付けについて説明する。
先ず、小便器本体１のトラップ形成部５の内側壁部５ａに沿ってトラップ形成部材３の第２筒部３ｂを嵌め込み、連結部３ｃの下面をトラップ形成部５の底面５ｂに密接させる。次に、トラップ形成部５の上部開口部５ｃにサナ２の蓋部２ａを載置し、筒状部２ｂをトラップ形成部材５の収容空間部３ｄに挿入して組み付けが完了する。
【００２１】
上記組み付けが完了すると、第１筒部３ａと筒状部２ｂとの間に第１空間部７、筒状部２ｂと第２筒部３ｂとの間に第２空間部８が形成され、筒状部２ｂの先端部と連結部３ｃとの間隙で第１空間部７と第２空間部８とが連絡してトラップが形成される。
【００２２】
この第１実施例においては、サナ２及びトラップ形成部材３を取り外すことで、小便器本体１のトラップ形成部５を清掃する際に広い開口部を得ることができ、トラップ形成部５の隅々まで清掃具が挿入でき、清掃作業が容易に行なえる。また、トラップ形成部材３も軟質の合成ゴム材料で一体成形しているので清掃しやすいように多少に変形でき、清掃作業が容易に行なえる。
また、サナ２、トラップ形成部材３が破損したり、新品と取り替える場合、小便器本体１のボール部４側から容易に作業が行なえる。
【００２３】
（第２実施例）
図４は、本発明の第２実施例に係る小便器のトラップ部を示す部分断面図である。この実施例は、円筒状のトラップ形成部材９を、円筒部１０ａと円筒部１０ａの外側面に円盤状の鍔部１０ｂを一体成形して構成した嵌合部材１０を介して小便器本体１にトラップ形成部５内に配設するものである。
嵌合部材１０は鍔部１０ｂがトラップ形成部５の底部５ｂに当接した状態で円筒部１０ａの一端部がトラップ形成部５の排水口６に嵌入し、他端部がトラップ形成部５内に突出している。
嵌合部材１０を排水口６に嵌合した後、トラップ形成部材９を嵌合部材１０の円筒部１０の外側面に嵌め込こむ。サナ２を組み付けた状態で、筒状部２ｂと円筒部１０ａとの間で第１空間部７、筒状部２ｂとトラップ形成部５の内側壁面５ａとの間で第２空間部８を形成している。そして、筒状部２ｂの先端部とトラップ形成部５の底部５ｂの間隙で第１空間部７と第２空間部８とが連絡してトラップを構成している。
【００２４】
この第２実施例においては、サナ２、トラップ形成部材９、嵌合部材１０が容易に取り外しができ、トラップ形成部５、トラップ形成部材９、嵌合部材１０の清掃が容易に行なえる。
また、トラップ形成部材９と嵌合部材１０とを別体の構成としたが、トラップ形成部材９と嵌合部材１０とを一体成形した構成としてもよい。
【００２５】
（第３実施例）
図５は、本発明の第３実施例に係る小便器のトラップ部を示す部分断面図で、小便器が壁ＷＬに取り付けられ、壁内配設した排水管（図示しない）に排水を行なう壁排水タイプの小便器である。
小便器本体１のトラップ形成部５、トラップ形成部材３、サナ２の構成については、第１実施例と同じであるので説明は省略する。
【００２６】
（第４実施例）
図６は、本発明の第４実施例に係る小便器を示す部分断面図である。
この実施例は、第１実施例のトラップ形成部材３、第２実施例のトラップ形成部材９と嵌合部材１０を使用せずに、小便器本体１にサナ２を配設してトラップを有しない小便器を構成したものである。
この小便器本体１のトラップ形成部５を清掃する際に広い開口部を得ることができ、トラップ形成部５の隅々まで清掃具が挿入でき、清掃作業が容易に行なえる。
【００２７】
（第５実施例）
図７は、本発明の第５実施例に係る小便器本体を示す部分断面図である。
この実施例では、小便器本体２１は端部を排水口６とし、トラップ形成部５内に突出した中空路１２を有する突出筒部１１をトラップ形成部５と一体成形している。
そして、トラップを有する小便器として使用する場合は、前記サナ２をトラップ形成部５の上部開口部５ｃに配設してトラップを構成する。
トラップを有しない小便器として使用する場合は、突出筒部１１をトラップ形成部５の底部５ｂと略面一の高さ位置で切除して、前記サナ２をトラップ形成部５の上部開口部５ｃに配設して使用する。
【００２８】
前記第５実施例の場合は、小便器本体を成形後、突出筒部１１を残した状態でトラップを有する小便器を構成でき、または成形後の小便器本体成形体の乾燥前の状態で突出筒部１１を切除してトラップを有しない小便器を構成することができる。そのため小便器本体を成形するための成形型が共通化でき製造コストが低減する。
【図面の簡単な説明】
【図１】本発明の第１実施例に係る小便器のトラップ部を示す部分断面図。
【図２】トラップ形成部材の外観斜視図。
【図３】サナの外観斜視図。
【図４】本発明の第２実施例に係る小便器のトラップ部を示す部分断面図。
【図５】本発明の第３実施例に係る小便器を示す部分断面図。
【図６】本発明の第４実施例に係る小便器を示す部分断面図。
【図７】本発明の第５実施例に係る小便器本体を示す部分断面図。
【図８】従来のトラップ部が着脱可能な小便器を示す部分断面図。
【図９】従来のトラップなし小便器の排水口部を示す部分断面図。
【符号の説明】
１、２１…小便器本体
２…サナ
２ａ…蓋部
２ｂ…筒状部
３…トラップ形成部材
３ａ…第１筒部
３ｂ…第２筒部
３ｃ…連結部
３ｄ…収容空間部
３ｅ…中空路
４…ボウル部
５…トラップ形成部
６…排水口
７…第１空間部
８…第２空間部
９…トラップ形成部材
１０…嵌合部材
１０ａ…円筒部
１０ｂ…鍔部
１１…突出筒部
１２…中空路
１００、１１０…小便器本体
１０１…トラップ本体
１０２…鉢体
１０３…トラップ流入口
１０４…外筒部
１０５…内筒部
１０６…トラップ形成室
１０７…円筒部
１０８…目皿
１０９…溜水部
【図１】
2004150024.tif 000003
【図２】
2004150024.tif 000004
【図３】
2004150024.tif 000005
【図４】
2004150024.tif 000006
【図５】
2004150024.tif 000007
【図６】
2004150024.tif 000008
【図７】
2004150024.tif 000009
【図８】
2004150024.tif 000010
【図９】
2004150024.tif 000011